(57)【要約】【課題】ユーザー側の操作面における負担を軽減し、初心者でも簡単にアクセスすることが出来るオンラインアルバムを提供する。【解決手段】  個体識別ＩＤと関連付けされた画像をデータベース５上に記憶する手段を有し、個体識別ＩＤが記憶されたＣＤ−ＲＯＭ７をパソコン２に挿入すると、通信回線を介して、当該個体識別ＩＤと関連付けられた画像をオンラインアルバムとしてパソコン２上に表示し、会員登録したユーザーに閲覧可能とするオンラインアルバム提供システム１である。【選択図】      図１
2007011501.tif 000002
【特許請求の範囲】
【請求項１】
少なくとも画像及び文字を含むオンラインアルバムを、通信回線を介して、パーソナルコンピュータと接続されたディスプレイで、会員登録したユーザーに閲覧可能とするオンラインアルバム提供システムにおいて、
当該ユーザーが会員登録をする為には、通信回線を介して、個人情報をデータベースに入力する必要があり、当該会員登録したユーザーには個体識別ＩＤが付与され、
オンラインアルバム提供者が、前記オンラインアルバムに含める情報を前記ユーザーから提供された場合には、前記個体識別ＩＤと関連付けて、当該情報を前記データベースに記憶させる記憶手段と、
前記個体識別ＩＤが記憶された可搬性記憶媒体を発行する手段と、
前記可搬性記憶媒体を、通信回線と接続されたパーソナルコンピュータに挿入すると、
当該挿入に応答して、パーソナルコンピュータ上にウェブブラウザ、オーサリングソフトが起動され、更に、パーソナルコンピュータが、前記可搬性記憶媒体から前記個体識別ＩＤを読み出し、当該ウェブブラウザを介して、ウェブサーバーへ前記個体識別ＩＤを送信し、
前記個体識別ＩＤを受信した前記ウェブサーバーは、前記個体識別ＩＤと関連付けられた前記情報を前記データベース上から検索し、
前記オーサリングソフトは、前記ウェブサーバーにより検索された前記情報に基づいて、オンラインアルバムを作成し、
当該オンラインアルバムを、通信回線を介して、前記パーソナルコンピュータと接続されたディスプレイに表示する表示手段と、を有することを特徴とするオンラインアルバム提供システム。
【請求項２】
前記会員登録したユーザーには個体識別ＩＤの他に、パスワードも付与され、
オンラインアルバム提供者が、前記オンラインアルバムに含める情報を前記ユーザーから提供された場合には、前記個体識別ＩＤ、及びパスワードと関連付けて、当該情報を前記データベースに記憶する記憶手段を有し、
前記可搬性記憶媒体を、通信回線と接続されたパーソナルコンピュータに挿入し、前記パスワードをパーソナルコンピュータに入力することで、前記データベース上に記憶された情報の書換え、削除を可能とし、これにより前記表示手段により表示される前記オンラインアルバムを編集することを可能としたことを特徴とする請求項１記載のオンラインアルバム提供システム。
【請求項３】
前記可搬性記憶媒体が、一度データを書き込むと、追加・消去が行えなくなる光学メディアであることを特徴とする請求項１又は２記載のオンラインアルバム提供システム。
【請求項４】
前記個人情報として、少なくとも誕生日を含む個人情報を前記データベースに記憶し、
当該誕生日にユーザーに可搬性記憶媒体を提供することを特徴とする請求項１乃至３記載のオンラインアルバム提供システム。
【発明の詳細な説明】
【技術分野】
【０００１】
本発明は、通信回線を介して、少なくとも画像及び文字を含むオンラインアルバムをパーソナルコンピュータと接続されたディスプレイで会員登録したユーザーが閲覧可能とするオンラインアルバム提供システムに関する。
【背景技術】
【０００２】
従来、ユーザーがオンラインアルバムを閲覧する際には、インターネット上からオンラインアルバムを提供しているウェブサイトを開き、その都度パスワード、個体識別ＩＤ等を入力しなければならず、ユーザー側において、操作面で負担がかかることが問題点となっていた。
更に、パソコン初心者、高齢者等のパソコンに不馴れな立場のユーザーにとっては、前記した負担が一層顕著なものとなり、誰でも簡単にアクセスすることが可能なオンラインアルバムを提供することが望まれる。
【０００３】
特許文献１に記載の発明においても、前記した操作面における負担を軽減する為の構成や、初心者でも簡単にアクセス出来る為の構成についての記載はない。
【０００４】
また、可搬性記憶媒体、例えば、ＣＤ−ＲＷにデジタルカメラ等で撮影した画像を記憶させても、当該画像を削除、追加する等の編集をする為には専門知識が必要であり、可搬性記憶媒体を使用してアルバムを編集したくても、パソコン初心者にとっては難易度が高いので、敬遠しがちであった。
【特許文献１】特開２００２−２７２３３
【発明の開示】
【発明が解決しようとする課題】
【０００５】
本発明はこのような背景技術に存在する問題点を解消したものであり、ユーザー側の操作面における負担を軽減し、パソコン初心者でも、可搬性記憶媒体を用いて簡単にアクセスすることが可能なオンラインアルバムを提供することを目的とする。
【課題を解決するための手段】
【０００６】
上記に鑑み、請求項１に記載の発明は、少なくとも画像及び文字を含むオンラインアルバムを、通信回線を介して、パーソナルコンピュータと接続されたディスプレイで、会員登録したユーザーに閲覧可能とするオンラインアルバム提供システムにおいて、当該ユーザーが会員登録をする為には、通信回線を介して、個人情報をデータベースに入力する必要があり、当該会員登録したユーザーには個体識別ＩＤが付与され、オンラインアルバム提供者が、前記オンラインアルバムに含める情報を前記ユーザーから提供された場合には、前記個体識別ＩＤと関連付けて、当該情報を前記データベースに記憶させる記憶手段と、前記個体識別ＩＤが記憶された可搬性記憶媒体を発行する手段と、前記可搬性記憶媒体を、通信回線と接続されたパーソナルコンピュータに挿入すると、当該挿入に応答して、パーソナルコンピュータ上にウェブブラウザ、オーサリングソフトが起動され、更に、パーソナルコンピュータが、前記可搬性記憶媒体から前記個体識別ＩＤを読み出し、当該ウェブブラウザを介して、ウェブサーバーへ前記個体識別ＩＤを送信し、前記個体識別ＩＤを受信した前記ウェブサーバーは、前記個体識別ＩＤと関連付けられた前記情報を前記データベース上から検索し、前記オーサリングソフトは、前記ウェブサーバーにより検索された前記情報に基づいて、オンラインアルバムを作成し、当該オンラインアルバムを、通信回線を介して、前記パーソナルコンピュータと接続されたディスプレイに表示する表示手段と、を有することを特徴とする。
【０００７】
ここでいう「画像」には、パーソナルコンピュータ(以下、パソコン)で読み込むことが可能な画像データ、写真、動画等が含まれる。また、「少なくとも画像及び文字を含む」とあるが、これら以外にパソコンで読み込むことが可能な音声データ等をオンラインアルバムの情報として含めることが考えられる。「オンラインアルバム」とは、当該「画像」、「文字」、音声データ等を情報として含み、通信回線を利用してパソコンに接続されたディスプレイで閲覧可能であるアルバムを指す。「個人情報」としては、名前、住所、メールアドレス等が挙げられる。「ユーザーが会員登録をする為に、通信回線を介して、個人情報をデータベースに入力する」方法としては、オンラインアルバム提供者がユーザーから個人情報を直接聞き、パソコン上でデータベースに直接入力することや、ユーザーが、オンラインアルバム提供者が開設しているウェブサイト上から直接データベースに個人情報を入力することできるようにすることが考えられる。
【０００８】
「ウェブブラウザ」とは、インターネット上のウェブページを閲覧するためのアプリケーションソフトであり、インターネットからHTML(Hyper Text Markup Language)ファイルや画像ファイル、音楽ファイルなどをダウンロードし、レイアウトを解析して表示・再生するものである。「オーサリングソフト」とは、文字や画像、音声、動画といったデータを編集して一本のソフトウェアを作るアプリケーションソフトである。即ち、本発明におけるオーサリングソフトは、データベース上に記憶された文字や画像、音声、動画といったデータを編集してオンラインアルバムを作成するものである。これらの「ウェブブラウザ」、及び「オーサリングソフト」はパソコン上にインストールすることで、使用可能となるものであり、本発明における「パーソナルコンピュータ」は、「ウェブブラウザ」、及び「オーサリングソフト」がインストールされたものに限られる。
「可搬性記憶媒体」には、オンラインアルバムを閲覧する為の個体識別ＩＤが記憶されているので、前記個体識別ＩＤをパソコンに入力しなくとも、可搬性記憶媒体をパソコンに挿入するだけで、オンラインアルバムにアクセスすることが可能である。
【０００９】
上記請求項１の例としては、次に挙げるものが考えられる。即ち、会員登録したユーザーからオンラインアルバム提供者側にオンラインアルバムの提供依頼があった場合に、先ず、ユーザーから預かった画像データを当該ユーザーの持つ個体識別ＩＤと関連付けてデータベースに記憶し、当該個体識別ＩＤを可搬性記憶媒体に記憶させる。このとき、ユーザーが音声データ、文字データ等の情報もオンラインアルバムに含めるように希望した場合には、オンライン提供者側において、これらのデータも個体識別ＩＤと関連付けてデータベースに記憶する。そして、オンラインアルバム提供者側が当該可搬性記憶媒体をユーザーに提供し、ユーザーがパソコンに可搬性記憶媒体を挿入すると、当該挿入に応答して、パソコン上にウェブブラウザ、オーサリングソフトが起動され、当該パソコンが可搬性記憶媒体から個体識別ＩＤを読み出し、当該ウェブブラウザを介して、ウェブサーバーへ個体識別ＩＤが送信する。更に、ウェブサーバーが、当該個体識別ＩＤと関連付けられたデータ(画像データ、音声データ、文字データ等)をデータベース上から検索し、当該検索されたデータが、オーサリングソフトによりオンラインアルバムとして作成され、当該オンラインアルバムがパソコンと接続されたディスプレイに表示され、これにより、ユーザーがオンラインアルバムを閲覧できるようになっている。オンラインアルバムは、ウェブブラウザにて、パソコンのディスプレイに表示されるようにすると好適である。
【００１０】
請求項２に記載の発明は、前記会員登録したユーザーには個体識別ＩＤの他に、パスワードも付与され、オンラインアルバム提供者が、前記オンラインアルバムに含める情報を前記ユーザーから提供された場合には、前記個体識別ＩＤ、及びパスワードと関連付けて、当該情報を前記データベースに記憶する記憶手段を有し、前記可搬性記憶媒体を、通信回線と接続されたパーソナルコンピュータに挿入し、前記パスワードをパーソナルコンピュータに入力することで、前記データベース上に記憶された情報の書換え、削除を可能とし、これにより前記表示手段により表示される前記オンラインアルバムを編集することを可能としたことを特徴とする。
【００１１】
請求項２記載の「パスワード」を可搬性記憶媒体に記憶させることが考えられるが、可搬性記憶媒体に記憶すると、パスワードの変更ができなくなり、セキュリティが低下するので、データベースに個体識別ＩＤとパスワードを記憶させ、可搬性記憶媒体には個体識別ＩＤのみを記憶させる構成を採用するのが好適である。上記請求項２の例としては、オンラインアルバムがパソコン上に表示されたときに、ユーザーがパスワードを入力することで、オンラインアルバム編集専用画面へと切り替わるようにすることが考えられる
【００１２】
請求項３に記載の発明は、前記可搬性記憶媒体が、一度データを書き込むと、追加・消去が行えなくなる光学メディアであることを特徴とする。
【００１３】
「一度データを書き込むと、追加・消去が行えなくなる光学メディア」としては、例えば、ＣＤ−ＲＯＭ、ＤＶＤ−ＲＯＭ等が挙げられる。
【００１４】
請求項４に記載の発明は、前記個人情報として、少なくとも誕生日を含む個人情報を前記データベースに記憶し、当該誕生日にユーザーに可搬性記憶媒体を提供することを特徴とする
【００１５】
上記請求項４の例としては、次に挙げるものが考えられる。即ち、ユーザーが会員登録をする際に、個人情報を登録する。そして、会員登録したユーザーが出産記念に関するオンラインアルバムを依頼した場合に、当該オンラインアルバムを閲覧する為の可搬性記憶媒体を提供し、前記した個人情報として、その出産した子供の誕生日も登録する。これにより、会員の子供が成人した誕生日に出産記念のオンラインアルバムを閲覧する為の可搬性記憶媒体を提供することができる。
【発明の効果】
【００１６】
請求項１記載の発明によれば、可搬性記憶媒体を通信回線に接続されたパーソナルコンピュータに挿入すると、当該挿入に応答して、ウェブブラウザ、オーサリングソフトが起動され、パーソナルコンピュータが可搬性記憶媒体から個体識別ＩＤを読み出し、ウェブブラウザを介して、ウェブサーバーへ個体識別ＩＤを送信し、個体識別ＩＤを受信したウェブサーバーは、個体識別ＩＤと関連付けられた情報をデータベース上から検索し、オーサリングソフトは、ウェブサーバーにより当該検索された情報に基づいて、オンラインアルバムを作成し、当該オンラインアルバムを、通信回線を介して、パーソナルコンピュータと接続されたディスプレイに表示するので、個体識別ＩＤ等の情報を入力しなくとも、可搬性記憶媒体をパソコンに挿入するだけで、ユーザーがオンラインアルバムを閲覧することができ、面倒な操作を必要としないので、オンラインアルバムへのアクセスに関する手間、負担を省くことが出来るという効果を発揮する。これにより、パソコン初心者、高齢者等のパソコンに不馴れな立場のユーザーでも簡単にアクセスすることが可能なオンラインアルバムを提供すること出来る。更に、パソコンに可搬性記憶媒体を挿入すれば、当該挿入に応答して、オンラインアルバムに関するメニューがパソコンのディスプレイに自動的に表示される構成とすることで、この効果は一層顕著なものとなり、好適である。
【００１７】
また、前記したように、従来は可搬性記憶媒体、例えば、ＣＤ−ＲＷ等にデジタルカメラで撮影した画像を記憶させて、当該画像を削除、追加する等の編集をする為には専門知識が必要であり、可搬性記憶媒体を使用してアルバムを編集したくても、パソコン初心者にとっては難易度が高く、敬遠しがちであったが、請求項２記載の発明によれば、可搬性記憶媒体を、通信回線と接続されたパーソナルコンピュータに挿入し、パスワードをパーソナルコンピュータに入力することで、データベース上に記憶された情報の書換え、削除を可能とし、これにより表示手段により表示される前記オンラインアルバムを編集することを可能としたので、パスワードを入力すれば、パソコン初心者でも可搬性記憶媒体を使用して簡単にオンラインアルバムを編集することが出来る。
【００１８】
請求項３記載の発明によれば、前記可搬性記憶媒体が一度データを書き込むと、追加・消去が行えなくなる光学メディアであって、更に、当該光学メディアをパソコンに挿入し、オンラインアルバムを編集できるようにすることで、本来はデータの書き込みが出来ない光学メディアにデータを書き込んでいるかのような疑似体験をさせることができるという優れた効果を発揮する。
【００１９】
請求項４記載の発明によれば、個人情報として、少なくとも誕生日を含む個人情報をデータベースに記憶し、当該誕生日にユーザーに可搬性記憶媒体を提供するので、ユーザーが希望する誕生日に、オンラインアルバムを提供することができる。例えば、ユーザーが出産したときの画像を含むオンラインアルバムを、当該出産により生まれた子供の成人する誕生日に提供することも出来る。この場合、保管が面倒になりがちな、画像等を、ユーザーに代わり、オンラインアルバム提供者側において保管することになるので、ユーザーが保管の手間を省くことが出来る。
【発明を実施するための最良の形態】
【００２０】
次に、本発明に係る好適な実施形態を挙げ、図面を参照して詳細に説明する。
本実施形態では、通信回線を介して、少なくとも画像及び文字を情報として含むオンラインアルバムをパソコンの画面上で閲覧可能にするオンラインアルバム提供システム１を使用して、当該オンラインアルバムを提供する業務システムを説明する。
【００２１】
まず、オンラインアルバム提供システム１のシステム構成について、図１を参照して説明する。図１は本発明実施形態のオンラインアルバム提供システム１のシステム構成を示し、オンラインアルバム提供システム１には、パーソナルコンピュータ２（以下パソコンと略す）、インターネットで代表されるパソコン２から接続可能なネットワーク３と、ネットワーク３と接続されるウェブサーバー４と、ウェブサーバー４と接続されたデータベース５を記憶した記憶装置５aが含まれる。パソコン２は、ＣＤ−ＲＯＭ７に含まれる情報を読み込むことができる。記憶装置５aは、会員から提供された画像データ、音声データ、文字データ等をデータベース５として記憶するハードディスクのような装置である。
【００２２】
パソコン２は、ネットワーク３を介してウェブサーバー４と通信を行うためのプログラムが予めインストールされているものである。このプログラムは、ＴＣＰ/ＩＰと呼ばれる通信プロトコル、すなわち、インターネットなどの通信ネットワークで使用されている通信プロトコルで通信を行うものである。
業務システム側に顧客側が会員として登録する際には、業務システム側が開設しているＷＥＢサイトにて、名前、住所、メールアドレスなどの個人情報を入力し、ウェブサーバー４を介してデータベース５に当該個人情報を記憶させることで登録可能である。個人情報にはデータベース５に会員として登録された日付情報も付加して記憶される。
【００２３】
次にＨＴＭＬファイルについて説明する。ＨＴＭＬファイルには表示したい文字列を記載するとともに、表示したいイメージのディレクトリ（記憶場所）名、実行させたいプログラムのディレクトリ名、文字列、イメージの書式、たとえば、フォントサイズ、イメージの表示位置、大きさ等を記載する。このＨＴＭＬファイルはブラウザと呼ばれるプログラムにより上記書式が解析され、ブラウザを実行するパソコン２において、書式に合致する表示用のイメージが合成されて、その合成イメージが表示される。このときＨＴＭＬによる合成イメージがサーバー上に記憶され、誰にでも閲覧可能となっているものが所謂ＷＥＢサイトである。
【００２４】
次に、図１で説明した、オンラインアルバム提供システム１を使用した業務システムの流れの概要を次に示す(１)〜(５)にて説明する。
(１)  前記したＷＥＢサイトにて、オンラインアルバムの作成、提供依頼を募り、当該依頼をした顧客が新規の顧客であるならば、ＷＥＢサイト上にて、顧客が名前、住所、メールアドレス等の個人情報を入力し、ウェブサーバー４を介してデータベース５に当該個人情報を記憶させることで、会員登録することができる。尚、ＷＥＢサイトにて、オンラインアルバムの作成、提供依頼を募ることとしたが、ＷＥＢサイトと同時に店舗等で募っても良い。図２(a)は、前記した新規の顧客がＷＥＢサイトにて、個人情報を入力する際のパソコンの画面６上の表示例を示すものであり、顧客が個人情報を入力した後、パソコンの画面６上の下部にある登録ボタンをクリックすることで、個人情報がデータベース５に入力され、登録処理が行われるようにすると好適である。（１）に関しては、図４に挙げるＳ１００〜Ｓ１２０参照。
【００２５】
(２)  (１)の登録処理後にウェブサーバー４が個体識別ＩＤ、及びパスワードを発行し、会員側に当該個体識別ＩＤ、及びパスワードが付与される。その後、会員がオンラインアルバムに載せたい画像等がある場合には、当該画像等をウェブサーバー４を介して、データベース５にアップロードする。
(１)にて個人情報を送信した後、図２(b)に示すように、パソコンの画面６上にて即座に個体識別ＩＤ、及びパスワードが会員に知らされる。個体識別ＩＤ、及びパスワードが付与された後、会員がオンラインアルバムに載せたい画像データ等がある場合には、図２(c)に示す「ファイル」ボタンをクリックし、パソコンの画面６上にてオンラインアルバムに載せたい画像(ファイル)を選択した後に、「登録」ボタンをクリックすることで、ウェブサーバー４を介して、データベース５に画像データをアップロードすることが出来るようにして好適である。（２）に関しては、図４に挙げるＳ１３０参照。尚、会員からオンラインアルバムに載せたい写真を直接預かり、預かった写真を業務システム側で電子化し、当該電子化したデータをウェブサーバー４を介して、データベース５にアップロードしても良い。当該写真は、ユーザー側から業務システム側に郵送を受付可能にすれば好適である。
【００２６】
(３)  次に、業務システム側においてＣＤ−ＲＯＭ７を発行し、(２)で会員に付与した個体識別ＩＤ、及びパスワードを当該ＣＤ−ＲＯＭ７に記憶させる。(３)については、図４に挙げるＳ１４０参照。
【００２７】
(４)  (２)にて会員側からアップロードされた画像等の他に、付帯データ(音声データ、文字データ)をデータベース５に登録(記憶)する。画像、付帯データ等は、会員に付与された個体識別ＩＤと関連付けてデータベース５に登録(記憶)する。
会員からオンラインアルバム作成、提供依頼があった場合には、オンラインアルバムのテーマ、デザイン、付帯データ(音声データ、文字データ等)を添付するか否か等の会員の希望を聞いておき、それを基に(４)でデータベース５に登録(記憶)する。オンラインアルバム５のテーマ、デザインとしては、様々なものが考えられるが、例えば、「運動会」、「結婚式」、「出産記念」等、複数種類のテーマを予め用意しておき、会員が選択することが可能であるようにすると好適である。データベース５に記憶される画像は、後々会員側においても、業務システム側においても、入れ替え、追加、削除が可能であるようにする。その他、付帯データ(音声データ、文字データ)を編集することも可能にする。更に、会員から預かった画像が、年数が経って、色褪せてしまった超音波（エコー）画像や、傷だらけになってしまった写真であっても、業務システム側で技術を駆使して修正・復元することで、綺麗な状態でデータベース５上に記憶させることが可能である。(４)については、図４のＳ１５０参照。
【００２８】
(５)  (３)で発行したＣＤ−ＲＯＭ７を会員に提供する。会員は、当該ＣＤ−ＲＯＭ７をパソコン２に挿入することで、 (４)においてデータベース５に登録(記憶)した、画像、付帯データ等を組み合わせたオンラインアルバムを閲覧することが可能である。詳細は後述する。
【００２９】
次に、ネットワーク３に接続されたパソコン２に、(５)にて会員に提供されたＣＤ−ＲＯＭ７を挿入することで、データベース５に登録されている画像、付帯データ等をオンラインアルバムとして閲覧する際の手順について(６)〜(９)にて説明する。
(６)  先ず、ネットワーク３に接続されたパソコン２にＣＤ−ＲＯＭ７を挿入すると、当該挿入に応答して、パソコン２上にブラウザ、及びオーサリングソフトが起動される。「オーサリングソフト」とは、文字や画像、音声、動画といったデータを編集して一本のソフトウェアを作るアプリケーションソフトであり、オーサリングソフトとして、「Ｍａｃｒｏｍｅｄｉａ ＦＬＡＳＨ」等を使用して好適である。(６)については、図５のＳ２００〜Ｓ２３０を参照。
【００３０】
(７)  次に、パソコン２が、ＣＤ−ＲＯＭ７に記憶された個体識別ＩＤを読み出し、(６)で起動されたブラウザを利用することで、ウェブサーバー４に個体識別ＩＤを送信する。(７)については、図５のＳ２４０を参照。
【００３１】
(８)  次に、ウェブサーバー４が、(７)にて送信された個体識別ＩＤと関連付けて記憶されている画像、付帯データ等をデータベース５から検索する。(８)については、図５のＳ２７０を参照。
【００３２】
(９)   (８)にて検索された画像、付帯データ等に基づいて、オーサリングソフトにて、オンラインアルバムを作成し、当該オンラインアルバムをパソコンの画面６上に表示させる。(９)については、図５のＳ２９０を参照。図３は、オンラインアルバムをパソコンの画面６上に表示したときの例である。
【００３３】
次に前記した(１)〜(４)で説明した処理を示すデータ登録処理を図４のフローチャートを用いて説明する。以後、ステップをＳと略記する。
先ず、オンラインアルバムの作成、提供依頼をした顧客が新規の顧客であるならば、業務システム側のＷＥＢサイト上にて、名前、住所、メールアドレスなどの個人情報を入力し（Ｓ１００）、Ｓ１００において、業務システム側において、間違って入力されたデータがないかどうかチェックする（Ｓ１１０）。Ｓ１１０において、間違って入力されたデータが発見された場合には、再度Ｓ１００を行い、間違ったデータが発見されなかった場合には、Ｓ１００において入力されたデータをデータベース５に登録(記憶)する（Ｓ１２０）。Ｓ１２０により登録するのと同時にウェブサーバー４が個体識別ＩＤとパスワードを発行し（Ｓ１３０）、業務システム側において、当該個体識別ＩＤ、及びパスワードを記憶させたＣＤ−ＲＯＭ７を発行する（Ｓ１４０）。次に会員から郵送、アップロード等された画像データ、音声データ、文字データ等をデータベース５に登録する（Ｓ１５０）。このＳ１００〜Ｓ１５０の工程を終えると、（５）で説明したように、会員にＣＤ−ＲＯＭ７が納品されることになる。
【００３４】
次に前記した(６)〜(９)に関する処理について図５のフローチャートを用いて説明する。
最初に、パソコン２にＣＤ−ＲＯＭ７を挿入すると(Ｓ２００)、ブラウザ、オーサリングソフトが起動される(Ｓ２１０)。このブラウザの起動は、パソコン２にＣＤ−ＲＯＭ７を挿入したことに応答して自動的に行われる構成とするのが好ましいが、パソコン２に表示される特定のアイコンをクリックすることで行われるようにしても良い。Ｓ２１０の処理を終えると、Ｓ２００においてＣＤ−ＲＯＭ７を挿入したパソコン２がネットワーク３に接続されているか否かを判定する(Ｓ２２０)。Ｓ２２０において否定判定が為されると、インターネット接続処理が開始され(Ｓ２３０)、再度Ｓ２２０の処理を行う。Ｓ２２０において肯定判定が為されると、パソコン２が、ブラウザを経由して、ＣＤ−ＲＯＭ７に記憶された個体識別ＩＤをウェブサーバー４へ送信する (Ｓ２４０)。Ｓ２４０における個体識別ＩＤを送信する手段としては、個体識別ＩＤを含めたＵＲＬ(Ｕniform Ｒesorce Ｌocator)にアクセスすることにより、ウェブサーバー４に送信する。次に、Ｓ２４０の処理に対して、ウェブサーバー４が応答しているか否かを判定する(Ｓ２５０)。Ｓ２５０の判定で否定判定なら、再度Ｓ２４０の処理を行い、肯定判定であるなら、ウェブサーバー４が個体識別ＩＤを受信する (Ｓ２６０)。次に、ウェブサーバー４がＳ２６０にて受信した個体識別ＩＤと関連付けられた登録データ(画像、付帯データ等)がデータベース５上にあるか否かを検索する（Ｓ２７０）。そして、Ｓ２７０により検索した結果、登録データが見つからなかった場合、パソコンの画面６上でエラー表示を行う(Ｓ２８０)。Ｓ２７０により検索した結果、登録データが見つかった場合には、当該登録データをオーサリングソフトでオンラインアルバムとして作成し、当該オンラインアルバムをパソコンの画面６上に表示させる。（Ｓ２９０）。
【００３５】
次に前記したＳ２９０に引き続き、当該パソコンの画面６上に表示されたオンラインアルバムを編集する際に行われる登録データ更新処理について、図６のフローチャートを用いて説明する。図６におけるＳ２００〜Ｓ２９０までの処理は、図５と同様であるので説明は省略する。
会員側がオンラインアルバムを編集したい場合には、パソコンの画面６上にオンラインアルバムが表示されたときに、パソコン上に表示されているＣＤ更新ボタンをクリックする（Ｓ３００）。Ｓ３００において、ＣＤ更新ボタンがクリックされると、パスワードを入力する為のＣＤ更新ログイン画面が表示される（Ｓ３１０）。次にＳ３１０にて表示されたＣＤ更新ログイン画面において、パスワードを入力する（Ｓ３２０）。データベース５上には、パスワードが記憶されており、オンラインアルバムを構成するデータベース５上の画像データ等を編集する際には当該パスワードを必要とし、第三者にオンラインアルバムが勝手に編集されてしまうことを防止している。Ｓ３２０に続く処理では、Ｓ３２０において入力したパスワードが正しいか否かを確認するユーザー認証処理を行う（Ｓ３３０）。Ｓ３３０にて行ったユーザー認証処理において、認証に間違いがないか否か判定される（Ｓ３４０）。ここで否定判定が為されると、Ｓ３１０に戻り、再度ＣＤ更新ログイン画面が表示され、肯定判定が為されると、ＣＤ更新画面が表示される（Ｓ３５０）。ＣＤ更新画面においては、現状で登録されているオンラインアルバムに新たな画像を追加するのか、又は、画像の更新を行うのかを選択し（Ｓ３６０）、画像を追加する選択をした場合、画像追加画面が表示される（Ｓ３７０）。次に実際に画像を追加するか否かを選択し（Ｓ３８０）、Ｓ３８０において画像を追加しない選択が為されると、Ｓ３７０の画像追加画面に戻り、画像を追加する選択が為されると、追加した画像を新たに登録する画像登録処理を行う（Ｓ３９０）。Ｓ３９０の処理を終えた後は、Ｓ３５０のＣＤ更新画面に戻る。Ｓ３６０において、画像を更新する選択をした場合、画像更新画面が表示される（Ｓ４００）。次に実際に画像を更新するか否かを選択し（Ｓ４１０）、Ｓ４１０により画像を更新しない選択をしたならば、Ｓ４００の画像更新画面に戻り、画像を更新する選択をしたならば、画像の更新処理が行われ（Ｓ４２０）、その後Ｓ４００により再度画像更新画面が表示される。尚、Ｓ３８０、及びＳ４１０による選択は、ワンタッチの操作で簡単に行うことが出来るようにすることにより、会員の操作面においての、負担を軽減することが出来るので、好適である。
【００３６】
図７（a）のパソコンの画面６上にある「ＣＤを更新」とあるのは、図６のＳ３００におけるＣＤ更新ボタンの表示例であり、図７（b）は、Ｓ３１０におけるＣＤ更新ログイン画面の表示例、図７（c）は、Ｓ３７０における画像追加画面の表示例、図７（ｄ）は、Ｓ４００における画像更新画面の表示例である。
【００３７】
尚、画像の追加、更新の他に、付帯データ（音声データ、文字データ）の追加、変更、画像の削除、入れ替え等の様々な編集を行うことができるようにすると好適である。更に、これらの編集はパソコン初心者でも簡単に行えるように設定すると好適である。このように、基本的には会員側が簡単にオンラインアルバムを編集できるようになっているが、例えば、会員が写真をデータとして取り込むスキャナを所有していない場合や、色褪せてしまった写真を修正したい場合等の難易度の高い編集は、業務システム側が代行して編集処理を行うことも可能となっている。
【００３８】
尚、本実施形態における業務システムにおいては、次に説明するサービスも行う。既に業務システム側に登録されており、オンラインアルバムを閲覧する為のＣＤ−ＲＯＭ７を発行したことのある会員に、当該ＣＤ−ＲＯＭ７と同じものを追加作成し、無料提供するサービスである。（以下、タイムカプセルサービスという。）しかし、会員が、追加作成したＣＤ−ＲＯＭ７の無料提供を受けるには、ある特定の条件が必要となる。その特定の条件とは、子供が生まれてから、成人するまでの成長過程の画像、画像データを記憶したＣＤ−ＲＯＭ７であって、当該ＣＤ−ＲＯＭ７を会員の子供が成人した誕生日に業務システム側が送る場合に限り、会員が無料提供を受けることが出来る。尚、成人した誕生日に限らず、会員の子供が成人した以降の誕生日であれば、いつでも良い。尚、ＣＤ−ＲＯＭ７を追加作成し、会員の子供が成人した誕生日に業務システム側が送る場合には、当該画像、画像データ等を長期間に渡り、データベース５上に保存しておく事が必要である。例えば、顧客が出産のＣＤ−ＲＯＭ７を作成したときに、出産した子供が成人した誕生日に当該ＣＤ−ＲＯＭ７を送って欲しいとの要望があった場合には、約２０年間に渡り、データベース５上に画像データ等を保存することになる。この保存期間には、制限を設け、当該制限を２０年とするのが好ましい。ここでいう、「子供が生まれてから、成人するまでの成長過程」とは、子供の成長過程が見て取れる年代であったら、どの期間でも良い。例えば、子供が１〜５歳ぐらいのときから、１７〜１８歳までの期間もここでいう言葉の意味に含まれる。
【００３９】
次に、図８を用いて、前記したタイムカプセルサービスに係わるタイムカプセル申請処理についてフローチャートを用いて説明する。先ず、タイムカプセルサービスによるＣＤ−ＲＯＭ７の追加作成を業務システム側がメール又は電話にて問い合わせを募る（Ｓ５００）。次に、Ｓ５００にて問い合わせがあったか否かを判定し（Ｓ５１０）、問い合わせがあった場合には、問い合わせがあった会員から、少なくとも登録した際に入力した氏名、住所、及びＣＤ−ＲＯＭ７を送る本人の誕生日等の個人情報を聞き、データベース５上に当該個人情報が登録されているか否かの検索を行う（Ｓ５２０）。Ｓ５２０の検索により、会員の登録が確認された場合には（Ｓ５３０）、次にＣＤ−ＲＯＭ７を追加作成する（Ｓ５４０）。そして、Ｓ５４０にて追加作成したＣＤ−ＲＯＭ７を会員が希望する前記した誕生日に送る（Ｓ５５０）。
【００４０】
尚、図９（a）は、図８のＳ５２０にて業務システム側が検索する際のパソコン画面６上の表示例であり、図９（b）は、業務システム側において、会員の登録が確認された場合に、パソコンの画面６上に表示される登録情報の表示例である。Ｓ５４０にて業務システム側がＣＤ−ＲＯＭ７を追加作成する場合には、図９（b）の画面上の右下にあるＣＤ追加作成ボタンでワンタッチで行うことが出来るようにすると好適である。
【００４１】
尚、本実施形態においては、同じ内容が記憶されたＣＤ−ＲＯＭ７を何枚でも提供することが可能であるが、各々のＣＤ−ＲＯＭ７において、各々別の個体識別ＩＤとパスワードが付与されることになる。本実施形態の業務システムにおいては、納品したＣＤ−ＲＯＭ７の複写、コピーを禁止する規約を採用し、例えば、同じ個体識別ＩＤのＣＤ−ＲＯＭ７が２つ存在した場合に、一方のＣＤ−ＲＯＭ７でデータベース５にアクセスしている場合には、もう一方のＣＤ−ＲＯＭ７ではデータベース５にアクセスできないようにすることにより、複写、コピーの防止に努めている。本実施形態により、会員に提供されたオンラインアルバムを印刷したい場合は、プリンターがある環境であれば、ＣＤ−ＲＯＭ７を挿入した際に出現するメニューにより、簡単に印刷することが可能である。
【００４２】
以上説明した本実施形態によれば、会員がパソコン２にＣＤ−ＲＯＭ７を挿入し、当該ＣＤ−ＲＯＭ７に記憶されている個体識別ＩＤを利用してデータベース５上のオンラインアルバムにアクセスするため、会員にあたかもＣＤ−ＲＯＭ７に記録されているオンラインアルバムを閲覧しているかのような疑似体験をさせることが可能となる。
【００４３】
また、パソコン２にＣＤ−ＲＯＭ７を挿入すれば、個体識別ＩＤ等の情報を入力しなくとも、即座にオンラインアルバムを、閲覧することが出来るので、オンラインアルバムへのアクセスに関する手間、負担を省くことが出来るという効果を発揮する。これにより、パソコン初心者、高齢者等のパソコンに不馴れな立場のユーザーでも簡単にアクセスすることが可能なオンラインアルバムを提供すること出来る。更に、パソコン２にＣＤ−ＲＯＭ７を挿入すれば、自動的にオンラインアルバムに関するメニューがコンピュータの画面上に表示される構成とすることで、この効果は一層顕著なものとなり、好適である。
【００４４】
また、従来は、例えば、ＣＤ−ＲＷ等の可搬性記憶媒体にデジタルカメラで撮影した画像を記憶させても、当該画像を削除、追加する等の編集をする為には専門知識が必要であり、可搬性記憶媒体を使用してアルバムを編集したくても、パソコン初心者にとっては難易度が高く、敬遠しがちであったが、本実施形態によれば、図７(ｂ)に示す画像更新ログイン画面にてパスワードさえ入力すれば、パソコン初心者でもＣＤ−ＲＯＭ７を使用して簡単にアルバムを編集することが出来る。また、本来はデータの書き込みが出来ないＣＤ−ＲＯＭ７にデータを書き込んでいるかのような疑似体験をさせることができるという優れた効果を発揮する。
【００４５】
更に、タイムカプセルサービスにより、保管が面倒になりがちな、写真、画像等を顧客に代わり、保管するので、顧客が保管の手間を省くことが出来るようになる。また、会員が希望する誕生日に、長い間保存した思い出のつまった画像をオンラインアルバムとして見ることが出来るし、ＣＤ−ＲＯＭ７で送るので、知人、親類等に贈り物として送ることも可能である。
【００４６】
更に、本実施形態のオンラインアルバムにおいては、画像以外に付帯データ（音声データ、文字データ）も挿入することが可能であるので、自動的に音楽とアニメーション、画像等が組み合わさった形で、スライドショーを見ることができる。
【図面の簡単な説明】
【００４７】
【図１】本実施形態に係わるオンラインアルバム提供システム１のシステム構成を示す図である。
【図２】（a）は、顧客が業務システム側に登録する際の、個人情報を入力するメニューの表示例、（b）は、（a）にて登録した後、会員に付与される個体識別ＩＤ、パスワードの表示例、（c）は、会員がオンラインアルバムに載せたい画像データ(ファイル)をデータベース５にアップロードする際の表示例である。
【図３】本実施形態に係わるオンラインアルバムの表示例である。
【図４】本実施形態に係わるデータ登録処理を表すフローチャートである。
【図５】本実施形態に係わる画像閲覧処理を表すフローチャートである。
【図６】本実施形態に係わる登録データ更新処理を表すフローチャートである。
【図７】（a）は、ＣＤ更新ボタンの表示例であり、（b）は、ＣＤ更新ログイン画面の表示例、（c）は、画像追加画面の表示例、（ｄ）は、画像更新画面の表示例である。
【図８】本実施形態に係わるタイムカプセル申請処理を表すフローチャートである。
【図９】（a）は会員の登録データを検索する際の表示例であり、（b）は、会員の登録が確認された場合に、パソコン２上に表示される登録情報の表示例である。
【符号の説明】
【００４８】
１…オンラインアルバム提供システム  ２…パソコン  ３…ネットワーク  ４…ウェブサーバー  ５…データベース
６…パソコンの画面  ７…ＣＤ−ＲＯＭ
【図１】
2007011501.tif 000003
【図２】
2007011501.tif 000004
【図３】
2007011501.tif 000005
【図４】
2007011501.tif 000006
【図５】
2007011501.tif 000007
【図６】
2007011501.tif 000008
【図７】
2007011501.tif 000009
【図８】
2007011501.tif 000010
【図９】
2007011501.tif 000011